(57)【要約】【課題】電子化されたクーポン情報であっても、そのクーポン情報を複数名に適用できるようにする。【解決手段】クーポン情報を取り込んだ携帯端末から他の携帯端末識別情報を収集する。携帯端末から取り込んだクーポン情報及びそのクーポン情報の利用が可能な人数情報を、同携帯端末から収集した他の携帯端末識別情報と関連付けて記憶する。データ通信状態にある携帯端末からクーポン情報を取り込めないとき、その携帯端末から識別情報を取得し、この識別情報と一致する情報が他の携帯端末識別情報として記憶されているか否かを検索する。記憶されていることが確認されると、その携帯端末識別情報と関連付けて記憶されている人数情報が１以上であることを条件に、その携帯端末識別情報と関連付けて記憶されているクーポン情報を処理するとともに人数情報を１ずつ減算する。【選択図】図４
2008117063.tif 000002
【特許請求の範囲】
【請求項１】
携帯可能な携帯端末とデータ通信を行う携帯通信手段を有し、この携帯通信手段を介して前記携帯端末から電子化されたクーポン情報を取り込み処理するクーポン情報処理装置において、
前記クーポン情報を取り込んだ前記携帯端末から他の携帯端末識別情報を収集する他端末情報収集手段と、
前記携帯端末から取り込んだクーポン情報及びそのクーポン情報の利用が可能な人数情報を、他端末情報収集手段により収集した他の携帯端末識別情報と関連付けて記憶するクーポン情報記憶手段と、
前記携帯通信手段を介してデータ通信状態にある携帯端末から前記クーポン情報を取り込めないとき、その携帯端末から識別情報を取得する識別情報取得手段と、
この識別情報取得手段により取得した識別情報と一致する情報が他の携帯端末識別情報として前記クーポン情報記憶手段により記憶されているか否かを検索する識別情報検索手段と、
この識別情報検索手段により記憶されていることが確認されると、その携帯端末識別情報と関連付けて記憶されている人数情報が１以上であることを条件に、その携帯端末識別情報と関連付けて記憶されているクーポン情報を処理するとともに前記人数情報を１ずつ減算するクーポン連携処理手段と、
を具備したことを特徴とするクーポン情報処理装置。
【請求項２】
他端末情報収集手段により収集される他の携帯端末識別情報には固有名の情報が含まれており、
前記識別情報検索手段により記憶されていることが確認され、かつ、その携帯端末識別情報と関連付けて記憶されている有効人数が１以上であるとき、その携帯端末識別情報に含まれる固有名の情報を表示する固有名表示手段をさらに具備したことを特徴とする請求項１記載のクーポン情報処理装置。
【請求項３】
携帯可能な携帯端末から電子化されたクーポン情報を取り込み処理する情報処理装置のクーポン情報処理方法であって、
前記情報処理装置は、
前記クーポン情報を取り込んだ前記携帯端末から他の携帯端末識別情報を収集し、
前記携帯端末から取り込んだクーポン情報及びそのクーポン情報の利用が可能な人数情報を、同携帯端末から収集した他の携帯端末識別情報と関連付けて記憶し、
データ通信状態にある携帯端末から前記クーポン情報を取り込めないとき、その携帯端末から識別情報を取得し、
前記クーポン情報を取り込めない携帯端末から取得した識別情報と一致する情報が他の携帯端末識別情報として記憶されているか否かを検索し、
前記クーポン情報を取り込めない携帯端末から取得した識別情報と一致する情報が他の携帯端末識別情報として記憶されていることが確認されると、その携帯端末識別情報と関連付けて記憶されている人数情報が１以上であることを条件に、その携帯端末識別情報と関連付けて記憶されているクーポン情報を処理するとともに前記人数情報を１ずつ減算することを特徴とするクーポン情報処理方法。
【発明の詳細な説明】
【技術分野】
【０００１】
本発明は、携帯電話機等の携帯端末から電子化されたクーポン情報を取込み処理するクーポン情報処理装置及び処理方法に関する。
【背景技術】
【０００２】
携帯電話機等の携帯端末と、近赤外光やＢｌｕｅｔｏｏｔｈ（登録商標）等を用いた近距離無線方式によりデータ通信を行い、携帯端末から電子化されたクーポン情報を取り込んで処理するＰＯＳ（Point Of Sales）端末等のクーポン情報処理装置は、既に知られている（例えば、特許文献１参照）。
【特許文献１】特開２００３−７６９２９号公報
【発明の開示】
【発明が解決しようとする課題】
【０００３】
しかしながら、従来のこの種のクーポン情報処理装置においては、携帯端末から取り込んだクーポン情報を使用できる顧客は１名に限られていた。このため、紙等を媒体とした一般的なクーポン券には、１枚で例えば５名まで有効とするようなものがあるが、電子化されたクーポン情報では１枚で複数名を有効とする運用を適用することが困難であった。
【０００４】
本発明はこのような事情に基づいてなされたもので、その目的とするところは、電子化されたクーポン情報であっても、そのクーポン情報を複数名に適用できるクーポン情報処理装置及び処理方法を提供しようとするものである。
【課題を解決するための手段】
【０００５】
本発明は、携帯可能な携帯端末から電子化されたクーポン情報を取り込み処理する技術にある。  
本発明のクーポン情報処理装置は、携帯可能な携帯端末とデータ通信を行う携帯通信手段を有することを前提としている。そして、クーポン情報を取り込んだ携帯端末から他の携帯端末識別情報を収集する他端末情報収集手段、携帯端末から取り込んだクーポン情報及びそのクーポン情報の利用が可能な人数情報を、同携帯端末から収集した他の携帯端末識別情報と関連付けて記憶するクーポン情報記憶手段、携帯通信手段を介してデータ通信状態にある携帯端末からクーポン情報を取り込めないとき、その携帯端末から識別情報を取得する識別情報取得手段、クーポン情報を取り込めない携帯端末から取得した識別情報と一致する情報が他の携帯端末識別情報としてクーポン情報記憶手段により記憶されているか否かを検索する識別情報検索手段、及び、クーポン情報を取り込めない携帯端末から取得した識別情報と一致する情報が他の携帯端末識別情報としてクーポン情報記憶手段により記憶されていることが確認されると、その携帯端末識別情報と関連付けて記憶されている人数情報が１以上であることを条件に、その携帯端末識別情報と関連付けて記憶されているクーポン情報を処理するとともに人数情報を１ずつ減算するクーポン連携処理手段を備えるようにしたものである。
【０００６】
また、本発明のクーポン情報処理方法は、携帯可能な携帯端末から電子化されたクーポン情報を取り込み処理する情報処理装置が、クーポン情報を取り込んだ携帯端末から他の携帯端末識別情報を収集するステップと、携帯端末から取り込んだクーポン情報及びそのクーポン情報の利用が可能な人数情報を、同携帯端末から収集した他の携帯端末識別情報と関連付けて記憶するステップと、データ通信状態にある携帯端末からクーポン情報を取り込めないとき、その携帯端末から識別情報を取得するステップと、クーポン情報を取り込めない携帯端末から取得した識別情報と一致する情報が他の携帯端末識別情報として記憶されているか否かを検索するステップと、クーポン情報を取り込めない携帯端末から取得した識別情報と一致する情報が他の携帯端末識別情報として記憶されていることが確認されると、その携帯端末識別情報と関連付けて記憶されている人数情報が１以上であることを条件に、その携帯端末識別情報と関連付けて記憶されているクーポン情報を処理するとともに前記人数情報を１ずつ減算するステップとを実行するようにしたものである。
【発明の効果】
【０００７】
かかる手段を講じた本発明のクーポン情報処理装置によれば、電子化されたクーポン情報であっても、そのクーポン情報を複数名に適用できるようになる。
【０００８】
また、かかるステップを講じた本発明のクーポン情報処理方法によれば、携帯可能な携帯端末から電子化されたクーポン情報を取り込み処理する情報処理装置において、そのクーポン情報を複数名に適用できるようになる。
【発明を実施するための最良の形態】
【０００９】
以下、本発明を実施するための最良の形態について、図面を用いて説明する。  
なお、この実施の形態は、携帯可能な携帯端末としてアドレス帳機能を有した市販の携帯電話機１を使用し、この携帯電話機１から電子化されたクーポン情報を取込み、決済金額の値引，割引等の演算を処理するＰＯＳ端末２に本発明のクーポン情報処理技術を適用した場合である。つまり、本実施の形態において、ＰＯＳ端末２はクーポン情報処理装置として機能する。
【００１０】
図１は本実施の形態におけるＰＯＳ端末２の要部構成を示すブロック図である。図示するように、ＰＯＳ端末２は、制御部本体としてＣＰＵ（Central Processing Unit）１１を搭載している。また、プログラム等の固定的データが予め格納されたＲＯＭ（Read Only Memory）１２、商品販売データの処理に必要な種々のメモリエリアが形成されるＲＡＭ（Random Access Memory）１３、現在の日付及び時刻を計時する時計部１４、通信回線を介して接続されたストアコンピュータ等の上位装置とのデータ通信を制御する通信コントローラ１５、キーボード１６のキー操作により入力されたキー信号を取り込むキーボードコントローラ１７、オペレータ用ディスプレイ１８に対する画面表示を制御する第１の表示コントローラ１９、客用ディスプレイ２０に対する画面表示を制御する第２の表示コントローラ２１、レシート印字等を行うためのプリンタ２２の印刷動作を制御するプリンタコントローラ２３及び携帯端末インターフェイス２４を備えている。そして、前記ＣＰＵ１１と、ＲＯＭ１２、ＲＡＭ１３、時計部１４、通信コントローラ１５、キーボードコントローラ１７、第１及び第２の表示コントローラ１９，２１、プリンタコントローラ２３及び携帯端末インターフェイス２４とを、アドレスバス，データバス等のバスライン２５で接続している。
【００１１】
携帯端末インターフェイス２４は、携帯電話機１と近赤外光やＢｌｕｅｔｏｏｔｈ（登録商標）等を用いた近距離無線方式によりデータ通信を行い、携帯電話機１の内部メモリに記憶されたクーポン情報等を取り込むもので、携帯通信手段を構成する。なお、最近では、ＲＦＩＤ（Radio Frequency Identification）タグを内蔵した携帯電話機１が開発されている。そこで、このＲＦＩＤタグとの間で非接触による無線通信によりデータを授受可能なＲＦＩＤリーダ・ライタを携帯端末インターフェイス２４として、携帯電話機１からＲＦＩＤタグに記憶されたクーポン情報等を取り込むようにしてもよい。
【００１２】
図２はクーポン情報テーブル３のデータ構成例を示す模式図である。クーポン情報テーブル３には、それぞれ異なる複数のクーポンコードに対応して、クーポン内容と利用人数の各情報が設定記憶されている。クーポンコードは、ＰＯＳ端末２のユーザ（小売業者，サービス業者等）側から携帯電話機１に対してインターネットやその他の通信手段を介して配信される各種の電子化されたクーポン情報を識別するためのコードである。クーポン内容は、対応するクーポンコードで識別されるクーポン情報の割引率，値引額等の具体的な内容を示す情報である。利用人数は、対応するクーポンコードで識別されるクーポン情報の利用が可能な人数を示す情報である。
【００１３】
このようなデータ構造を有するクーポン情報テーブル３は、ＰＯＳ端末２のＲＯＭ１２に予め記憶されている。あるいは、通信コントローラ１５を介して接続された上位装置からＲＡＭ１３に適時ダウンロードされるようになっている。
【００１４】
しかしてＰＯＳ端末２は、キーボード１６上の締めキーが操作入力されると、ＣＰＵ１１が図４の流れ図に示す手順の処理を実行するように、プログラムで構成されている。なお、締めキーは、１客との間で代金の受渡しをする、いわゆる決済の開始を宣言するキーである。
【００１５】
ＣＰＵ１１は、キーボードコントローラ１７を介して入力されたキー信号により締めキーが操作入力されたことを検知すると、携帯端末インターフェイス２４を介していずれか１台の携帯電話機１とデータ通信可能な接続状態にあるか否かを判断する（ＳＴ１）。そして、携帯電話機１が接続状態にあると判断されると（ＳＴ１のＹＥＳ）、ＣＰＵ１１は、その携帯電話機１に対してクーポン情報の要求コマンドを送信する（ＳＴ２）。
【００１６】
ここで、接続状態にある携帯電話機１において、事前に記憶されている１乃至複数のクーポン情報の中のいずれか１つが利用選択状態にあると、当該携帯電話機１からは、上記クーポン情報要求コマンドに応じて、その利用選択状態にあるクーポン情報のクーポンコードを少なくとも含むクーポン応答コマンドが送信されるようになっている。
【００１７】
そこでＣＰＵ１１は、クーポン要求コマンドを送信後、携帯電話機１から携帯端末インターフェイス２４を介してクーポン応答コマンドを受信するのを待機する（ＳＴ３）、そして、クーポン応答コマンドを受信したならば（ＳＴ３のＹＥＳ）、ＣＰＵ１１は、クーポン情報テーブル３を検索して、当該クーポン応答コマンドに含まれているクーポンコードに対応するクーポン内容及び利用人数の各情報を取得する（ＳＴ４）。また、その接続状態にある携帯電話機１からアドレス帳メモリに記憶されている情報を収集する（ＳＴ５：他端末情報収集手段）。
【００１８】
通常、携帯電話機１のアドレス帳メモリには、家族や友人の電話番号や固有名称（氏名，あだ名等）等の情報が登録されている。また、電話番号は、携帯電話番号や自宅電話番号等の種別に登録可能である。
【００１９】
そこでＣＰＵ１１は、図３に示すデータ構造のクーポン管理テーブル４を作成し、ＲＡＭ１３に記憶する。すなわち、ＳＴ４の処理でクーポン情報テーブル３から取得したクーポン内容及び利用人数の各情報と、ＳＴ５の処理で携帯電話機１から取り込んだアドレス帳メモリの情報のうち全ての携帯電話番号とそれに対応する固有名称の情報とを関連付けてクーポン管理テーブル４を作成し、ＲＡＭ１３に記憶する（ＳＴ６：クーポン情報記憶手段）。
【００２０】
なお、携帯電話番号であるか否かは、その電話番号情報に付加されている種別区分の情報に基づいて判別する。あるいは、局番が「０９０」または「０８０」から始まる電話番号を携帯電話番号として認識してもよい。
【００２１】
しかる後、ＣＰＵ１１は、このクーポン管理テーブル４の利用人数の情報を「１」だけ減算したならば（ＳＴ７）、クーポン決済処理を実行する。すなわち、代金支払対象である金額についてクーポン内容の情報に基づき値引または割引演算し、その結果を、オペレータ用ディスプレイ１８及び客用ディスプレイ２０に表示させる（ＳＴ８）。以上で、今回の締めキー入力処理を終了する。
【００２２】
一方、接続状態にある携帯電話機１において、いずれのクーポン情報も利用選択状態にないときには、クーポン要求コマンドに対して無応答、若しくは利用無しの応答が返される。
【００２３】
そこでＣＰＵ１１は、クーポン要求コマンドを送信後（ＳＴ２）、携帯電話機１からクーポン応答コマンドを受信しない場合には（ＳＴ３のＮＯ）、接続状態にある携帯電話機１からプロフィールメモリに記憶されている情報を収集する（ＳＴ９：識別情報収集手段）。
【００２４】
通常、携帯電話機１のプロフィールメモリには、当該携帯電話機１の携帯電話番号やユーザの個人情報が記憶されている。特に、携帯電話番号は、携帯電話機固有の情報であり、携帯電話機１の識別情報として機能する。
【００２５】
そこでＣＰＵ１１は、ＲＡＭ１３に記憶されているクーポン管理テーブル４の中から利用人数情報が「１」以上のテーブル４を検索する（ＳＴ１０）。そして、接続状態にある携帯電話機１から取得した携帯電話番号が当該クーポン管理テーブル４に記憶されているか否かを判断する（ＳＴ１１：識別情報検索手段）。
【００２６】
ここで、携帯電話機１から取得した携帯電話番号と一致する番号が検索対象のクーポン管理テーブル４に記憶されていた場合には（ＳＴ１１のＹＥＳ）、ＣＰＵ１１は、その携帯電話番号に対応してクーポン管理テーブル４に記憶されている固有名称の情報を読み出す。そして、この固有名称をオペレータ用ディスプレイ１８に表示させる（ＳＴ１２）。
【００２７】
しかる後、キーボード１６の実行キーが操作入力されるか、キャンセルキーが操作入力されるのを待機する。そして、キーボードコントローラ１７を介して入力されたキー信号により、実行キーが操作入力されたことを検知した場合には（ＳＴ１３のＹＥＳ）、ＣＰＵ１１は、検索対象のクーポン管理テーブル４に記憶されている利用人数の情報を「１」だけ減算する（ＳＴ１５）。また、当該検索対象のクーポン管理テーブル４に記憶されているクーポン情報を読み出す（ＳＴ１６）。そして、このクーポン情報に基づきクーポン決済処理を実行するものとなっている（ＳＴ８：クーポン連携処理手段）。
【００２８】
なお、キーボードコントローラ１７を介して入力されたキー信号によりキャンセルキーが操作入力されたことを検知した場合（ＳＴ１４のＹＥＳ）、または、携帯電話機１から取得した携帯電話番号と一致する番号が検索対象のクーポン管理テーブル４に記憶されていない場合（ＳＴ１１のＮＯ）、あるいは、締めキーが操作入力された際に携帯電話機１が接続状態にない場合（ＳＴ１のＮＯ）には、ＣＰＵ１１は、通常の決済処理を実行する。すなわち、代金支払対象である金額をオペレータ用ディスプレイ１８及び客用ディスプレイ２０に表示させる（ＳＴ１７）。以上で、今回の締めキー入力処理を終了する。
【００２９】
因みに、クーポン管理テーブル４は、ＰＯＳ端末２の精算業務実行により初期化される際に、ＲＡＭ１３からクリアされる。もしくは、テーブル作成時刻を記録し、作成時刻から一定時間が経過すると自動的にクリアされるようにしてもよい。
【００３０】
このように構成された本実施の形態のＰＯＳ端末２を、今、プール等の施設利用代金を精算する窓口に設置するものとする。そして、５人組の利用者Ａ，Ｂ，Ｃ，Ｄ，Ｅのうち１名（利用者Ａとする）の携帯電話機１に、クーポンコード「１０２」のクーポン情報（クーポン内容：−２０％、利用人数：５名）が記憶されていた場合を想定する。なお、この携帯電話機１のアドレス帳メモリには、他の４名（利用者Ｂ，Ｃ，Ｄ，Ｅ）がそれぞれ所持している携帯電話機１の携帯電話番号と固有名称とが予め登録されていることを前提とする。ここで、説明の便宜上、利用者Ａ，Ｂ，Ｃ，Ｄ，Ｅがそれぞれ所持している携帯電話機１を、符号１Ａ，１Ｂ，１Ｃ，１Ｄ，１Ｅとして区別する。
【００３１】
この場合、先ず、クーポン情報が記憶されている携帯電話機１Ａを所持している利用者Ａが窓口担当者に施設利用代金の支払いを申し出る。その際に、事前に携帯電話機１Ａを操作して、クーポンコード「１０２」のクーポン情報を利用選択状態としておく。そして、窓口担当者が締めキーを操作する前に、携帯電話機１Ａを携帯端末インターフェイス２４の通信領域内にかざす。
【００３２】
ここで、窓口担当者が締めキーを操作入力すると、ＰＯＳ端末２からのクーポン要求コマンドに応じて、携帯電話機１Ａからクーポンコード「１０２」を含むクーポン応答コマンドが送信される。これにより、クーポンコード「１０２」に対応してクーポン情報テーブル３に設定されているクーポン内容「−２０％」と利用人数「５名」の情報が取得される。また、携帯電話機１Ａのアドレス帳メモリに登録されている情報がＰＯＳ端末２によって収集される。そして、クーポン内容「−２０％」及び利用人数「５名」の情報と、他の４名の利用者Ｂ，Ｃ，Ｄ，Ｅがそれぞれ所持している携帯電話機１Ｂ，１Ｃ，１Ｄ，１Ｅの携帯電話番号とその固有名称とを含むアドレス帳の情報が記憶されたクーポン管理テーブル４がＲＡＭ１３上に形成される。
【００３３】
しかる後、利用者Ａに対する施設利用料金として、クーポン内容「−２０％」に基づき通常料金から２０％値引された金額が算出され、オペレータ用ディスプレイ１８及び客用ディスプレイ２０に表示される。これにより、利用者Ａは、２０％値引された料金を支払うこととなる。また、クーポン管理テーブル４の利用人数が１だけ減算されて、「５名」から「４名」となる。
【００３４】
次に、例えば利用者Ｂが窓口担当者に施設利用代金の支払いを申し出たとする。この際、利用者Ｂは、窓口担当者が締めキーを操作する前に、自身の携帯電話機１Ｂを携帯端末インターフェイス２４の通信領域内にかざす。
【００３５】
ここで、窓口担当者が締めキーを操作入力すると、ＰＯＳ端末２からのクーポン要求コマンドに対して、携帯電話機１Ｂからはクーポン応答コマンドが送信されない。これにより、携帯電話機１Ｂのプロフィールメモリに登録されている情報、つまり当該携帯電話機１の電話番号を含む情報がＰＯＳ端末２によって収集される。そして、利用人数が１以上のクーポン管理テーブル４が検索される。
【００３６】
この場合、利用者Ａのクーポン決済の際に作成され、利用人数が「４名」のクーポン管理テーブル４に携帯電話機１Ｂの電話番号が登録されているので、その携帯電話番号に対応した固有名称がオペレータ用ディスプレイ１８に表示される。ここで、固有名称は、利用者Ａが利用者Ｂの携帯電話番号を携帯電話機１Ａのアドレス帳に登録した際の固有名称であり、通常は利用者Ｂの氏名やあだ名である。
【００３７】
そこで、窓口担当者は、固有名称で利用者Ｂに呼びかけて本人であることを確認する。そして、本人であることが確認されたならば、実行キーを操作する。そうすると、同クーポン管理テーブル４に記憶されているクーポン内容「−２０％」の情報が読み出される。そして、利用者Ｂに対する施設利用料金として通常料金から２０％値引された金額が算出され、オペレータ用ディスプレイ１８及び客用ディスプレイ２０に表示される。これにより、利用者Ａの携帯電話機１Ａに記憶されたクーポン情報が利用されて、利用者Ｂも２０％値引された料金を支払うこととなる。このとき、クーポン管理テーブル４の利用人数がさらに１だけ減算されて「３名」となる。
【００３８】
以後、利用者Ｃ，Ｄ，Ｅについても同様である。すなわち、利用者Ｃ，Ｄ，Ｅがそれぞれ携帯する携帯電話機１Ｃ，１Ｄ，１Ｅの各携帯電話番号がクーポン管理テーブル４に記憶されているので、利用者Ｃ，Ｄ，Ｅもそれぞれ自身の携帯電話機１Ｃ，１Ｄ，１Ｅを携帯端末インターフェイス２４の通信領域内にかざして施設利用料金の支払いを申し出ることによって、利用者Ａ及びＢと同様に２０％値引された料金を支払うこととなる。そして、計５名の支払いが終了すると、クーポン管理テーブル４の利用人数が「０名」となるので、以後、このクーポン管理テーブル４が検索対象となることはない。
【００３９】
なお、例えば利用者Ａと利用者Ｂとの間に他人が割込み、携帯電話機をかざしても、この他人の携帯電話機の電話番号はクーポン管理テーブル４に存在しないので、通常の決済処理が実行される。
【００４０】
このように本実施の形態によれば、携帯電話機１などに配信される電子化されたクーポン情報で、そのクーポン情報を記憶した携帯電話機１を所持している利用者だけでなく、そのクーポン情報に設定された利用人数分の複数名についてもそのクーポン情報を適用して、値引や割引のクーポン情報処理を行うことができる。
【００４１】
なお、この発明は前記実施形態そのままに限定されるものではなく、実施段階ではその要旨を逸脱しない範囲で構成要素を変形して具体化できる。
【００４２】
例えば前記実施の形態では、クーポン情報テーブル３を記憶し、携帯電話機１から応答が合ったクーポンコードに対応するクーポン内容及び利用人数の情報を上記クーポン情報テーブル３から取得する場合を示したが、携帯電話機１側からクーポンコードだけでなくクーポン内容と利用人数の情報も取得し、クーポン管理テーブル４の作成に供することによって、クーポン情報テーブル３を省略することもできる。
【００４３】
また、前記実施の形態では、図４のＳＴ１１の処理で携帯電話機１１のプロフィールメモリから収集した携帯電話番号が検索対象のクーポン管理テーブル４に記憶されている場合に、ＳＴ１２の処理で対応する固有名称を表示し、続いて実行キーが操作されたならば、ＳＴ１５以降の処理を実行するものとしたが、図４のＳＴ１２，１３，１４の処理を省略し、ＳＴ１１の処理で該当する携帯電話番号が検索対象のクーポン管理テーブル４に記憶されている場合に、自動的にＳＴ１５の処理に進むようにしてもよい。この場合は、クーポン管理テーブル４から固有名称の情報記憶領域を省略することができる。
【００４４】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００４５】
【図１】本発明の一実施の形態であるＰＯＳ端末の要部構成を示すブロック図。
【図２】同実施の形態において、ＰＯＳ端末が記憶するクーポン情報テーブルのデータ構造を示す模式図。
【図３】同実施の形態において、ＰＯＳ端末が記憶するクーポン管理テーブルのデータ構造を示す模式図。
【図４】同実施の形態において、ＰＯＳ端末のＣＰＵが実行する締めキー処理の要部手順を示す流れ図。
【符号の説明】
【００４６】
１…携帯電話機、２…ＰＯＳ端末、３…クーポン情報テーブル、４…クーポン管理テーブル、１１…ＣＰＵ、２４…携帯端末インターフェイス。
【図１】
2008117063.tif 000003
【図２】
2008117063.tif 000004
【図３】
2008117063.tif 000005
【図４】
2008117063.tif 000006